(57)【要約】【課題】投射型表示装置において、投影画像に悪影響を及ぼすことなくライトバルブの偏光板を交換可能な構造を実現する。【解決手段】ライトバルブ４４の偏光板４７を偏光板ホルダー６５に接着固定し、この偏光板ホルダー６５を螺子７３によってプリズムブロック６１の台座部７２に着脱可能に取り付けて偏光板４７を液晶パネル４５とプリズム４８の間の所定位置に配置する構造とする。さらにこの構成では、偏光板ホルダー６５と台座部７２との間に２方向の規制手段を設け、偏光板ホルダー６５がしっかりと台座部７２に取り付けられるようにすることで、偏光板４７の傾きやガタつきを防止して画像への悪影響をなくすものとする。【選択図】  図１０
2006330476.tif 000002
【特許請求の範囲】
【請求項１】
光源から出射された偏りのない光を直線偏光光に変換してそれを赤・青・緑の３色の色光に分離する光学系と、それから入射された光を画像信号に応じて各色に変調する３つのライトバルブと、それからの各色の光を合成するプリズムから成る色合成光学系と、合成された光をスクリーンに投射する投射光学系と、を備えて構成され、
上記ライトバルブは、液晶パネル等で構成される表示素子と、この表示素子の入射側と出射側に配置される偏光板と、を備えて成り、ここで偏光板はホルダーに接着固定され、このホルダーを着脱手段によって台座に着脱可能に取り付けて上記偏光板を所定の配置位置で保持する構造としたことを特徴とする投射型表示装置の光学ユニット。
【請求項２】
上記ホルダーと上記台座の間には、光軸と直交する第１の方向に上記ホルダーを規制する第１の規制手段と、光軸と平行な第２の方向に上記ホルダーを規制する第２の規制手段とが構成されていることを特徴とする請求項１に記載の投射型表示装置の光学ユニット。
【請求項３】
上記第１の規制手段と上記第２の規制手段は、その一方がピンと穴による係合構造であり、他方がテーパによる係合構造であることを特徴とする請求項２に記載の投射型表示装置の光学ユニット。
【発明の詳細な説明】
【技術分野】
【０００１】
本発明は、光源からの光をライトバルブに照射することによって得られた映像をスクリーン等に投射して表示する投射型表示装置に備えられる光学ユニットに関する。
【背景技術】
【０００２】
一般的な投射型表示装置(プロジェクター)は、光源から出射された偏りのない光を直線偏光光に変換してそれを赤・青・緑の３色の色光に分離する光学系と、それから入射された光を画像信号に応じて各色に変調する３つのライトバルブと、それからの各色の光を合成するプリズムから成る色合成光学系と、合成された光をスクリーンに投射する投射光学系と、を備えた構成となっている（例えば下記特許文献１参照）。
【特許文献１】特開２００３−２４１３１４号公報
【０００３】
このような投射型表示装置に備えられる光学ユニットとしてライトバルブとプリズムのユニット構成を図８に示す。このユニットは、四角形のプリズム４８の３面に沿って各色のライトバルブ４４(Ｒ)，４４(Ｇ)，４４(Ｂ)を配置して構成されている。ここで各ライトバルブ４４(Ｒ)，４４(Ｇ)，４４(Ｂ)は、夫々液晶パネル４５と、この液晶パネル４５の入射側及び出射側に配置される偏光板４６，４７とを有して構成されており、各ライトバルブ４４(Ｒ)，４４(Ｇ)，４４(Ｂ)の液晶パネル４５で変調された各色の光がプリズム４８で合成され、そこから投射光学系の投射レンズによってスクリーンに投射される。
【０００４】
ここで各ライトバルブ４４(Ｒ)，４４(Ｇ)，４４(Ｂ)に備えられる偏光板４７は、使用時間の累積と共に劣化が進み、スクリーンに投影される映像の画質に悪影響を及ぼすので、画質維持のためにこの偏光板４７を交換可能とする構造が求められている。
【０００５】
図１５にこの偏光板４７を交換可能とした従来構造の例を示す。即ちこの構造では、２枚の偏光板４７を支持部９１に差し込むようにして着脱可能に支持し、その状態で偏光板４７を上方から押さえ部材９２によって押さえるようにしてあり、偏光板４７を交換するときにはこの押さえ部材９２を外して交換作業を行なう構成となっている。
【発明の開示】
【発明が解決しようとする課題】
【０００６】
しかしながら、このように偏光板４７を押さえ部材９２で押さえるようにした従来の構造では、押さえ部材９２の形状等により図１６(Ａ)に示すように偏光板４７に傾きａが生じる場合や、また偏光板４７の基材のサイズのばらつき等により、同図(Ｂ)に示す如く押さえ部材９２が機能せずに偏光板４７にガタつきｂが生じる場合が多くある。
【０００７】
このように偏光板４７に傾きやガタつきがあると、各色のライトバルブ４４(Ｒ)，４４(Ｇ)，４４(Ｂ)の相対画素位置にずれが生じて投影画像に悪影響を及ぼし、また偏光板４７のガタつきによって基材であるガラス等が割れ、これが投影画像に悪影響を及ぼすこともあり、何れも投射型表示装置の商品性が大きく損なわれることになる。
【０００８】
本発明は斯かる点に鑑みてなされたもので、画像に悪影響を及ぼすことなくライトバルブの偏光板を交換可能とした投射型表示装置を提供することを目的とする。
【課題を解決するための手段】
【０００９】
上記の目的を達成するため本発明は、光源から出射された偏りのない光を直線偏光光に変換してそれを赤・青・緑の３色の色光に分離する光学系と、それから入射された光を画像信号に応じて各色に変調する３つのライトバルブと、それからの各色の光を合成するプリズムから成る色合成光学系と、合成された光をスクリーンに投射する投射光学系と、を備えて構成される投射型表示装置において、ライトバルブは、液晶パネル等で構成される表示素子と、この表示素子の入射側と出射側に配置される偏光板と、を備えて成り、ここで偏光板はホルダーに接着固定され、このホルダーを着脱手段によって台座に着脱可能に取り付けて偏光板を所定の配置位置で保持する構造としたことを特徴とするものである。さらに本発明は、ホルダーと台座の間に、光軸と直交する第１の方向に上記ホルダーを規制する第１の規制手段と、光軸と平行な第２の方向に上記ホルダーを規制する第２の規制手段とを構成したことを特徴とするものである。
【発明の効果】
【００１０】
本発明では、偏光板ホルダーに固定し、このホルダーを着脱部材によって台座に着脱可能に取り付ける構造としたことにより、ホルダーごと偏光板の交換を容易に行なうことができる。そして本発明では、ホルダーが着脱部材によってしっかりと台座に固定されるので、偏光板は傾きやガタつきが生じることなく所定の配置位置で確実に保持される。さらに本発明では、ホルダーと台座の間に２方向の規制手段を設けたことにより、偏光板の傾きやガタつきをより確実に防止することができ、このため従来の課題であった偏光板の傾きによる各色のライトバルブの相対画素位置のずれの問題や偏光板のガタつきによる基材割れの問題が発生することはないので、スクリーンに投影される映像の画質に悪影響を及ぼすおそれはなく、常に安定した高画質映像を得ることができる。
【発明を実施するための最良の形態】
【００１１】
以下、図面を参照しながら本発明の実施例について詳細に説明する。
図１〜図５は、本発明が適用される投射型表示装置の外観を示しており、図１は斜視図、図２は正面図、図３は左側面図、図４は右側面図、図５は底面図である。また図６は、この投射型表示装置の内部構造を示す平面図である。
【００１２】
ここで示す投射型表示装置１は、大きさがＢ５判サイズで厚さ５０ｍｍ以下の小型・薄型で、かつ重量が約１．８ｋｇの軽量化を実現したビデオプロジェクターである。
図６に示す如く、この投射型表示装置１は、外装キャビネット２の内部に、光源であるランプ２８を収容したランプユニット２９と、３色のライトバルブ４４(Ｒ)，４４(Ｇ)，４４(Ｂ)及び投射レンズ４９を備えた光学系ユニット３０と、が組み込まれて構成され、ランプ２８から出射された光を光学系ユニット３０のライトバルブ４４(Ｒ)，４４(Ｇ)，４４(Ｂ)に照射することで得られた映像を投射レンズ４９によってスクリーンに投射して表示するものである。
【００１３】
先ずこの投射型表示装置１の外装構成について説明すると、この投射型表示装置１の外装キャビネット２は、光学系ユニット３０等の内部部品が組み付けられるベースキャビネット３と、このベースキャビネット３を覆うように取り付けられるトップカバー４と、で構成されている。ここでベースキャビネット３は、マグネシウムやアルミニウムなどの金属を材料としたダイカスト製品あるいは硬質の樹脂を材料とした樹脂モールド成形品であり、外装キャビネット２の底部と左右の側面部及び前面部を構成するものである。一方、トップカバー４は、アルミニウム合金等の金属製の薄板板金を絞り成形して製作される板金加工品であって、外装キャビネット２の上面部及び後面部を構成するものである。このトップカバー４は、ベースキャビネット３に取り付けられた状態で、ベースキャビネット３の底面側から螺子１８，１９によって固定される。
【００１４】
図２に示すように、外装キャビネット２の前面部を構成する前面パネル３ａには、投射レンズ４９が表出されており、ここから映像光がスクリーンに向けて投射される。この投射レンズ４９は、前面パネル３ａと同一面に配置された透明の保護板２０で前方が覆われて密閉保護されている。さらにこの保護板２０の内側において投射レンズ４９に近接する位置には、半透明部材２１を介してオートフォーカス用の投射距離検出センサー２４ａ，２４ｂが設けられている。
【００１５】
ベースキャビネット３の左側面３ｂには、図３に示す如く、操作部６と端子部７が集中して配置されている。ここで操作部６は、電源スイッチ釦６ａ、入力信号切換釦６ｂ、オートフォーカス切換釦６ｃ、チルト調整釦６ｄ、ズーム調整釦６ｅ、フォーカス釦６ｆなどを有して構成され、また端子部７は、電源コード接続端子７ａと映像信号入力端子７ｂを有して構成される。一方、これと反対側の右側面３ｃには、図４に示す如く、光源であるランプ２８の熱を排出するための軸流ファン９の排気口(ルーバー)１０が設けられている。
【００１６】
ベースキャビネット３の底面３ｄには、図５に示す如く、後部の左右に固定脚１１が設けられていると共に、前部中央には伸縮脚１２が設けられている。この伸縮脚１２はベースキャビネット３から出没するように伸縮動作されるものであり、この伸縮脚１２の動作によって装置の投射角度調整(チルト調整)が行なわれる。またベースキャビネット３の底面３ｄには、冷却手段のシロッコファン用の吸気部１３と、多数の通気孔１４が設けられており、さらには光源であるランプユニット２９を交換するための開口を塞ぐ樹脂製のランプ蓋１５が螺子１６によって取り付けられている。このランプ蓋１５には、ランプユニット２９で発生する熱を排出するための多数の排熱孔１７が設けられている。
【００１７】
続いて、本例の投射型表示装置１の内部構造について説明する。図６に示す如く本例の投射型表示装置は、外装キャビネット２の内部に、光源であるランプ２８を備えたランプユニット２９、３つのライトバルブ４４(Ｒ)，４４(Ｇ)，４４(Ｂ)及び投射レンズ４９を備えた光学系ユニット３０、ランプユニット２９及び光学系ユニット３０を冷却する冷却手段であるシロッコファン５１，５２と５６，５７及び軸流ファン９、ランプ２８等に電力を供給するための電源回路ユニット２５、信号処理回路を搭載した回路基板２６、操作部及び端子部ユニット２７等が組み込まれて構成される。
【００１８】
ランプユニット２９は、ユニットケースの内部にランプ２８を組み込んで構成されるもので、ベースキャビネット３の底面３ｄのランプ蓋１５を開けることによって交換可能となっている。光学系ユニット３０は図７に示すように、フライアイレンズ３１、偏光変換素子３２、コンデンサーレンズ３３、ダイクロイックミラー３４，３５、全反射ミラー３６，３７，３８、リレーレンズ３９，４０、フィールドレンズ４１，４２，４３、表示素子である液晶パネル４５を備えた３つのライトバルブ４４(Ｒ)，４４(Ｇ)，４４(Ｂ)、プリズム４８、投射レンズ４９等を有して構成されている。
【００１９】
この光学系ユニット３０では、ランプ２８で発光された偏りのない白色光が先ずフライアイレンズ３１から偏光変換素子３２を透過して直線偏光光に変換されると共にコンデンサーレンズ３３で集光されて輝度むらのない均一の白色光が形成され、その輝度むらのない白色光がダイクロイックミラー３４，３５を経由して３つのライトバルブ４４(Ｒ)，４４(Ｇ)，４４(Ｂ)に入射される。
【００２０】
その際、色分離手段であるダイクロイックミラー３４，３５によって白色光が赤色光(Ｒ)・緑色光(Ｇ)・青色光(Ｂ)に分離され、赤色光はリレーレンズ３９、全反射ミラー３６、リレーレンズ４０、全反射ミラー３７を介してフィールドレンズ４１で集光されて、赤色用のライトバルブ４４(Ｒ)に入射する。また、緑色光は、ダイクロイックミラー３５からフィールドレンズ４２で集光されて緑色用のライトバルブ４４(Ｇ)に入射し、さらに青色光は、ダイクロイックミラー３４から全反射ミラー３８を介してフィールドレンズ４３で集光されて青色用のライトバルブ４４(Ｂ)に入射する。
【００２１】
３つのライトバルブ４４(Ｒ)，４４(Ｇ)，４４(Ｂ)は夫々、液晶パネル４５の入射側と出射側に偏光板４６，４７を有して構成され、入射側の偏光板４６で各色光の偏光方向が揃えられて液晶パネル４５に入射される。液晶パネル４５は各色に対応して印加された映像信号により各色光を変調し、この３つの変調光が出射側の偏光板４７を透過して偏光されて映像光となり、プリズム４８に入射される。そして、プリズム４８では各色の映像光が合成され、この合成された映像光が投射レンズ４９によってスクリーンに投射されてフルカラーの映像が映し出されるものである。
【００２２】
上記の如く構成される投射光学系を備えた本例の投射型表示装置では、ランプユニット２９、光学系ユニット３０の偏光変換素子３２やライトバルブ４４(Ｒ)，４４(Ｇ)，４４(Ｂ)の付近、及び電源回路ユニット２５において高い熱が発生するため、これらを強制的に冷却して動作保証温度以下に保持する必要がある。
【００２３】
この冷却構造について説明する。図６及び７に示すように、本例の投射型表示装置では、冷却手段として先ず第１及び第２のシロッコファン５１及び５２が組み込まれている。この第１及び第２のシロッコファン５１及び５２には同型の小型シロッコファンが用いられ、ここで第１のシロッコファン５１は吸気口を上に向け、第２のシロッコファン５２は吸気口を下に向けた状態で、これを上下に重ねるようにして光学系ユニット３０の後方に隣接するスペースに配置してある。この場合、第１及び第２のシロッコファン５１及び５２は、装置内部での吸気口への吸気スペースを充分に確保した状態でベースキャビネット３に組み付けられ、その吸気は、ベースキャビネット３の底面３ｄに設けられた多数の通気孔１４を通して行なわれる。
【００２４】
そしてこの構成において第１のシロッコファン５１は、ダクト５３を介してランプユニット２９及び光学系ユニット３０の偏光変換素子の付近に送風して冷却を行ない、一方、第２のシロッコファン５２は、ダクト５４を介して電源回路ユニット２５に送風して冷却を行なう構造となっている。
【００２５】
さらに冷却手段として本例の投射型表示装置では、投射レンズ４９を挟んでその左右両側に第３及び第４のシロッコファン５６及び５７が配置されている。ここで第３のシロッコファン５６と第４のシロッコファン５７は同一形状ではなく、左右対称形状に形成されており、夫々吸気口を投射レンズ４９側に向けた状態でベースキャビネット３に組み付けられている。この第３のシロッコファン５６と第４のシロッコファン５７の吸気は、投射レンズ４９の下方においてベースキャビネット３の底面３ｄに設けられた防塵フィルター付きの吸気部１３を通して行なわれる。
【００２６】
そしてこの構成において第３のシロッコファン５６と第４のシロッコファン５７は、夫々ベースキャビネット３の底部に沿って設けられた薄型のダクト５８と５９を介して光学系ユニット３０のライトバルブ４４(Ｒ)，４４(Ｇ)，４４(Ｂ)付近に送風して冷却を行なう構造となっている。
【００２７】
以上の如く構成される本例の投射型表示装置は、前述した如く、光源であるランプ２８から出射された偏りのない光を直線偏光光に変換してそれを赤・青・緑の三色の色光に分離する光学系と、それから入射された光を画像信号に応じて各色に変調する３つのライトバルブ４４(Ｒ)，４４(Ｇ)，４４(Ｂ)と、それからの各色の光を合成するプリズム４８により成る色合成光学系と、合成された光をスクリーンに投射する投射レンズ４９から成る投射光学系と、を備えた構成となっている。
【００２８】
ここで本例の投射型表示装置に組み込まれるライトバルブとプリズムの光学ユニット構成を図８に示す。この光学ユニットは、四角形のプリズム４８の３面に沿って各色のライトバルブ４４(Ｒ)，４４(Ｇ)，４４(Ｂ)を配置して構成されている。各ライトバルブ４４(Ｒ)，４４(Ｇ)，４４(Ｂ)は、夫々液晶パネル４５と、この液晶パネル４５の入射側及び出射側に配置される夫々２枚構成の偏光板４６，４７とを有して構成されており、各ライトバルブ４４(Ｒ)，４４(Ｇ)，４４(Ｂ)の液晶パネル４５で変調された各色の光がプリズム４８で合成され、そこから投射光学系の投射レンズによってスクリーンに投射されるものである。
【００２９】
図９はこの光学ユニットにおいて、入射側の偏光板４６を除くライトバルブ４４(Ｒ)，４４(Ｇ)，４４(Ｂ)とプリズム４８を一体化したプリズムブロック６１の構成を示す。このプリズムブロック６１において各ライトバルブ４４(Ｒ)，４４(Ｇ)，４４(Ｂ)の偏光板４７は、使用時間の累積と共に劣化が進み、スクリーンに投影される映像の画質に悪影響を及ぼすので、特に本例のプリズムブロック６１ではこの偏光板４７を簡単に交換できる構造が採用されている。そしてこの場合、偏光板４７に傾きやガタつきがあると各色のライトバルブ４４(Ｒ)，４４(Ｇ)，４４(Ｂ)の相対画素位置のずれや偏光板４７の基材割れが発生して画質が悪化する問題があるので、この偏光板４７の傾きやガタつきを確実に防止するための構造も備えられている。
【００３０】
このプリズムブロック６１のさらに詳細な構造について、図１０〜図１４を参照しながら説明する。図１０に示す如くこのプリズムブロック６１では、プリズム４８の上下に樹脂製の固定枠体６２及び６３が接着固定されており、この上下の固定枠体６２，６３に各色のライトバルブ４４(Ｒ)，４４(Ｇ)，４４(Ｂ)を構成する液晶パネル４５が固着されると共に、上部の固定枠体６２に偏光板４７が交換可能に取り付けられる。
【００３１】
この偏光板４７は図１１に示す如く、ガラスや水晶あるいはサファイアなどにより成る透明の基板４７ａに偏光板本体４７ｂを貼着して構成されるものであり、本例ではこの偏光板４７を各色のライトバルブ４４(Ｒ)，４４(Ｇ)，４４(Ｂ)で夫々２枚配置した構成となっている。そしてこの構成では、この偏光板４７を保持する偏光板ホルダー６５を設け、これを使用して偏光板４７をプリズムブロック６１に取り付ける構造としてある。
【００３２】
偏光板ホルダー６５は、その左右両側に一対の頭部６６とこの頭部６６から垂下される脚柱部６７を対称的に有し、この脚柱部６７を挟むように２枚の偏光板４７を配置して、この２枚の偏光板を頭部６６に突き当てた状態で接着剤によって脚柱部６７に接着固定するものである。
【００３３】
ここで偏光板ホルダー６５には、図１１及び図１２に示す如く、脚柱部６７における偏光版固定面の中央に縦方向の細溝６８が設けられており、これが頭部６６に設けられた接着剤注入穴６９と通じている。そして２枚の偏光板４７を脚柱部６７に当てた状態でこの接着剤注入穴６９から接着剤を注入することにより、接着剤７１は毛細管現象によって細溝６８内にスムーズに入り込み、この接着剤７１によって偏光板ホルダー６５と偏光板４７が確実に接着固定される。
【００３４】
このような偏光板ホルダー６５を用いることにより２枚の偏光板４７は、互いの間隔及び平行度を正確に保持した状態で偏光板ホルダー６５に固定される。そして、図９及び図１０に示すように、この偏光板４７が固定された偏光板ホルダー６５を、プリズムブロック６１の上部の固定枠体６２に設けられた台座部７２に載せるように取り付け、その状態でさらに板バネ部材７４を介して偏光板ホルダーを螺子７３によってプリズムブロック６１に止着することにより、偏光板４７はプリズム４８と液晶パネル４５との間の所定の位置に正確に配置される状態で組み込まれる。
【００３５】
上記のように構成されるプリズムブロック６１では、偏光板ホルダー６５を固定している螺子７３を取り外すことにより、偏光板ホルダー６５ごと偏光板４７をプリズムブロック６１から抜き取ってこれを新しいものと交換することができる。この場合、偏光板ホルダー６５には中央に摘み部７０が突設されているため、この摘み部７０を指先あるいは治具で摘むことによって容易に偏光板ホルダー６５を着脱することができる。また、螺子７３と共に偏光板ホルダー６５を固定する板バネ部材７４にも摘み部７５が設けられ、容易な着脱を可能としている。
【００３６】
このように本例の構成では、偏光板４７を偏光板ホルダー６５に固定し、この偏光板ホルダー６５を螺子７３によって台座部７２に着脱可能に取り付ける構造としたことにより、偏光板ホルダー６５ごと偏光板４７の交換を容易に行なえるので、偏光板のサービス性が向上する。そしてこの構成では、偏光板ホルダー６５が螺子７３によってしっかりと台座部７２に固定されるので、偏光板４７は傾きやガタつきが生じることなく所定の配置位置で確実に保持されることになる。
【００３７】
上記構成に加えてさらにこのプリズムブロック６１においては、偏光板ホルダー６５とこの偏光板ホルダー６５が取り付けられる台座部７２との間に、偏光板ホルダー６５の取り付け位置をより確実に規定するための規制手段が構成されている。
【００３８】
この規制手段は第１の規制手段と第２の規制手段とにより成り、第１の規制手段は偏光板４７を通る光の光軸に対し直交する第１の方向(Ｘ方向)の規制を行ない、第２の規制手段は光軸と平行な第２の方向(Ｙ方向)の規制を行なうものである。
【００３９】
その詳細な構造を図１３及び図１４に示す。先ず第１の規制手段は、偏光板ホルダー６５側に設けられ、内側にテーパ面７７ａを有する左右一対の突起７７と、これと対応して台座部７２側に設けられ、外側にテーパ面７８ａを有する左右一対の突起７８と、により構成されており、偏光板ホルダー６５を台座部７２に取り付けたときには、上記テーパ面７７ａと７８ａが当接係合することによって偏光板ホルダー６５のＸ方向の規制が行なわれる構造となっている。
【００４０】
また第２の規制手段は、偏光板ホルダー６５側に設けられたピン７９と、このピン７９に対応して台座部７２側に設けられた受け穴８０と、により構成されており、偏光板ホルダー６５を台座部７２に取り付けたときには、上記ピン７９が受け穴８０に挿入係合されることによって偏光板ホルダー６５のＹ方向の規制が行なわれる構造となっている。なお、ここで受け穴８０はＸ方向に長い長穴形状を有し、これにより余裕をもってピン７９を挿入できる構造としてある。
【００４１】
このような２つの規制手段を設けたことにより本例のプリズムブロック６１では、偏光板ホルダー６５がガタつくことなくしっかりと台座部７２に取り付けられるので、偏光板４７の傾きやガタつきがより確実に防止されることになる。
【００４２】
そしてこのように偏光板４７の傾きやガタつきが防止されることにより、偏光板と液晶パネルの相対位置関係を常に一定に保持できるので、従来の課題であった偏光板４７の傾きやガタつきによる各色のライトバルブ４４(Ｒ)，４４(Ｇ)，４４(Ｂ)の相対画素位置のずれの問題が発生することはなく、また偏光板４７のガタつきによる基材割れの問題が発生することもないので、スクリーンに投影される映像の画質に悪影響を及ぼすおそれはなく、常に安定した高画質映像が得られるものである。
【００４３】
さらにこの構成では、表示素子である液晶パネル４５と偏光板４７との位置関係が綿密に保たれるので、光学性能の安定化に加えて、この部分での冷却風のスムーズな流れを確保でき、必要とされる冷却効率を得やすくなるという効果もある。
【００４４】
なお、以上の実施例では偏光板４７を２枚構成としてあるが、この偏光板４７は１枚あるいは３枚以上で構成することもできる。また実施例では、ライトバルブにおいて液晶パネル４５の出射側に設けられる偏光板４７の交換可能構造についてのみ示したが、液晶パネル４５の入射側に設けられる偏光板４６についてもこれと同様の交換可能構造とすることができるものである。
【図面の簡単な説明】
【００４５】
【図１】本発明が適用される投射型表示装置の斜視図である。
【図２】投射型表示装置の正面図である。
【図３】投射型表示装置の左側面図である。
【図４】投射型表示装置の右側面図である。
【図５】投射型表示装置の底面図である。
【図６】投射型表示装置の内部構造を示す平面図である
【図７】投射型表示装置の内部構造を示す概略平面図である。
【図８】投射型表示装置に備えられるプリズムブロックの概略構成図である。
【図９】プリズムブロックの全体構成を示す斜視図である。
【図１０】プリズムブロックの分解斜視図である。
【図１１】偏光板と偏光板ホルダーの分解斜視図である。
【図１２】偏光板と偏光板ホルダーの固定部の拡大断面図である。
【図１３】規制手段の構成を示す要部の斜視図である。
【図１４】規制手段の構成を示す要部の正面図である。
【図１５】従来構造の説明図である。
【図１６】従来構造における偏光板の傾きとガタつきの説明図である。
【符号の説明】
【００４６】
１…投射型表示装置、２…外装キャビネット、２８…ランプ(光源)、２９…ランプユニット、３０…光学系ユニット、４４…ライトバルブ、４５…液晶パネル、４７…偏光板、４８…プリズム、４９…投射レンズ、６５…偏光板ホルダー、７２…台座部、７３…螺子(着脱手段)、７７ａ，７８ａ…テーパ面、７９…ピン、８０…受け穴
【図１】
2006330476.tif 000003
【図２】
2006330476.tif 000004
【図３】
2006330476.tif 000005
【図４】
2006330476.tif 000006
【図５】
2006330476.tif 000007
【図６】
2006330476.tif 000008
【図７】
2006330476.tif 000009
【図８】
2006330476.tif 000010
【図９】
2006330476.tif 000011
【図１０】
2006330476.tif 000012
【図１１】
2006330476.tif 000013
【図１２】
2006330476.tif 000014
【図１３】
2006330476.tif 000015
【図１４】
2006330476.tif 000016
【図１５】
2006330476.tif 000017
【図１６】
2006330476.tif 000018